(57)【要約】【課題】撮像素子に対して高い防塵性を有し良好な白画面が得られる鏡筒モジュールを提供する。【解決手段】本発明の鏡筒モジュールは、その内部に軸方向に沿って前、後端面に開口し、両端開口を連通する空洞を画成する周壁を有し、前記周壁の前開口側の内周面にねじ部が設けられ、前記ねじ部と前記後開口の境に環状フランジ部が前記内周面から中心向け突出て形成されるベース枠と、その筒状胴の内部にレンズを保持し、外周面に前記ベース枠のねじ部と螺合するねじ部が形成されるレンズ支持筒と、弾力変形材でできて前記フランジ部の前記前開口側の環状面に前記レンズ支持筒と前記環状フランジ部の間の隙間を塞ぐように取付けられるシールと、から一体に組立てユニットされてなる。【選択図】図１
2006235575.tif 000002
【特許請求の範囲】
【請求項１】
その内部に軸方向に沿って前、後端面に開口し、両端開口を連通する空洞を画成する周壁を有し、前記周壁の前開口側の内周面にねじ部が設けられ、前記ねじ部と前記後開口の境に環状フランジ部が前記内周面から中心向け突出て形成されるベース枠と、
その筒状胴の内部にレンズを保持し、外周面に前記ベース枠のねじ部と螺合するねじ部が形成されるレンズ支持筒と、
弾力変形材でできて前記フランジ部の前記前開口側の環状面に前記レンズ支持筒と前記環状フランジ部の間の隙間を塞ぐように取付けられるシールと、
から一体に組立てユニットされてなることを特徴とする鏡筒モジュール。
【請求項２】
前記環状フランジ部は、前記胴の内周面から直角の径方向に突出ることを特徴とする請求項１に記載の鏡筒モジュール。
【請求項３】
前記ベース枠内には、カラーフィルタが前記環状フランジ部の開口を覆うように前記環状フランジ部の後側環状面に取付けられることを特徴とする請求項１に記載の鏡筒モジュール。
【請求項４】
さらに、前記レンズにより結像されるイメージを光電変換する撮像素子と、該撮像素子を保持して駆動するための回路基板が前記ベース枠の後開口側に保持されることを特徴とする請求項１に記載の鏡筒モジュール。
【請求項５】
前記ベース枠の周壁の内周面は、前記空洞の一部を縮径して前記前開口側が後開口側より径小となって境に後開口向きの段部が形成され、前記環状フランジ部が前記段部の位置に形成されていることを特徴とする請求項１に記載の鏡筒モジュール。
【請求項６】
前記レンズは、複数個であり、
前記レンズ支持筒内には、前記複数のレンズの中に少なくとも２つのレンズの間に介設されるスペーサーと、前記空洞の後開口側に設けられて前記複数のレンズを軸方向に沿って定位させる固定リングとが設けられていることを特徴とする請求項１に記載の鏡筒モジュール。
【発明の詳細な説明】
【技術分野】
【０００１】
本発明は、デジタルカメラ等に搭載される鏡筒モジュールに関する。
【背景技術】
【０００２】
デジタルカメラ、携帯電話等に搭載される鏡筒モジュールとして、ＣＣＤなどの撮像素子に対して固定された１つの焦点、すなわち、所定の距離以上離れた被写体を写す際に焦点が合う単焦点をもつ鏡筒モジュールが知られている。
【０００３】
図３を参照して従来の鏡筒モジュールの構造について説明する。図３において、ベース枠１の筒状内部は、軸（Ｌ１）方向に前開口１０６側の円周が後開口１０７側の円周より径小の空洞１０２をし、前面１０３側に軸Ｌ１を中心としてレンズ支持筒２が嵌入されており、該レンズ支持筒２は合焦用レンズセット２０２を保持している。ベース枠１の空洞１０２の前開口１０６側の内周面には雌ねじ１０５が形成され、レンズ支持筒２の外周面２０１に設けられた雄ねじ２０５に螺合している。ベース枠１の後開口１０７には、レンズセット２０２により結像されたイメージを光電変換する結像面を有する例えばＣＣＤイメージセンサである撮像素子３、該撮像素子３を保持して駆動するための回路基板４を保持させている。なお、図示のようにベース枠１の空洞１０２内には、所定波長域の光をカットするための板状カラーフィルタ５が径小側１０１と径大側１０４の境にできた段部１０８の開口を覆うように取付けられているが、場合によっては板状カラーフィルタ５を設けずにレンズセット２０２における１つのレンズにカラーフィルタ膜を形成することもある。この鏡筒モジュールでは、ベース枠１とレンズセット２０２を保持したレンズ支持筒２と回路基板４とによってほぼ密閉空間を形成している。
【０００４】
この鏡筒モジュールの組付けにおいては、まず、静止している撮像素子３の結像面に対してねじ込んで、レンズ支持筒２を回してレンズセット２０２を軸Ｌ１方向の前後に適宜移動させて焦点合わせ（ピント調整）を行う。そして、レンズ支持筒２が移動しないように、ベース枠１に対して固定することにより一体にユニット化させてなる。
【発明の開示】
【発明が解決しようとする課題】
【０００５】
この鏡筒モジュールの焦点合わせでは、レンズ支持筒２をベース枠１に対して回しながら前後移動させることにより合焦を行うが、レンズ支持筒２はベース枠１に対してねじ込まれるとき、両ねじ合せ箇所が螺合するときに発生する擦粉または外部から塵埃がねじ合せ箇所から紛れ込んでカラーフィルタ５の受光面または撮像素子３の結像面に積り、撮像斑点（黒点）となり、良好な白画面が得られない。白画面とは、鏡筒モジュールを白色ライトボックス内に垂直に設置してファイトバランスになるまで被写体の色合いを調整して撮像を行うことにより得られるものである。
【０００６】
本発明は、上記の問題点を解消するためになされたものであり、撮像素子に対して高い防塵性を有し良好な白画面が得られる鏡筒モジュールを提供することを目的とする。
【課題を解決するための手段】
【０００７】
上記目的を達成すべく、本発明の鏡筒モジュールは、その内部に軸方向に沿って前、後端面に開口し、両端開口を連通する空洞を画成する周壁を有し、周壁の前開口側の内周面にねじ部が設けられ、ねじ部と後開口の境には環状フランジ部が周壁の内周面から中心向け突出て形成されるベース枠と、その筒状胴の内部にレンズを保持し、外周面にベース枠のねじ部と螺合するねじ部が形成されるレンズ支持筒と、弾力変形材でできてフランジ部の前開口側の環状面にレンズ支持筒と環状フランジ部の間の隙間を塞ぐように取付けられるシールと、から一体に組立てユニット化されてなる構成とする。
【０００８】
また、前記構成において、前記環状フランジ部は、胴の内周面から径方向に直角に突出ることが好ましい。
【０００９】
また、ベース枠の周壁の内周面は、空洞の一部を縮径して前開口側が後開口側より径小となって境に後開口向きの環状段部が形成され、環状フランジ部が前記段部の位置に形成されることが好ましい。
【発明の効果】
【００１０】
上記構成によれば、本発明は、ベース枠においてベース枠とレンズ支持筒とのねじ螺合部及び環状フランジ部の間に弾性変形状シールがレンズ支持筒の底端面と密着してレンズ支持筒と環状フランジ部の間の隙間を塞ぐように取付けられているので、両ねじ部が螺合されるときに発生する擦粉または外部からの塵埃がねじ螺合部より紛れ込んでもシールに遮られ、撮像素子の結像面に侵入することはなく、良好な白画面を得ることができる。
【００１１】
また、シールによってレンズ支持筒を軸方向の合焦位置に定位させることもできる。
【００１２】
また、前記環状フランジ部は胴体内周面から径方向に直角に延伸して形成され、シールを環状フランジ部の前開口側の前環状面に安定に固着させることにより、防塵効果をさらに向上させることができる。
【００１３】
また、シールは、環状フランジ部の前開口側の環状面に設けられることにより、ほこりがねじ部同士の螺合部を通ってカラーフィルタの受光面または撮像素子の結像面を汚すことも防止することができ、防塵効果の向上を図ることができる。
【発明を実施するための最良の形態】
【００１４】
以下、図面に基づいて本発明にかかる鏡筒モジュールの実施の形態について説明する。
【００１５】
図１は、本発明にかかる一実施の形態の鏡筒モジュールの組立縦断面図、図２は同鏡筒モジュールを分解して概略示す縦断面図である。本発明の鏡筒モジュールは主として、ベース枠１０と、レンズ支持筒２０と、緩衝シール３０とが一体に組立てられた構成である。なお、デジタルカメラに用いられる場合、この鏡筒モジュールは好ましくは、さらにＣＣＤイメージセンサなどの撮像素子５０と回路基板６０とからなる撮像素子ユニットと共に一体に組立てユニット化されてなる。
【００１６】
ベース枠１０は、その筒状内部に軸（Ｌ２）方向に沿って前、後端面１１１、１１２に開口し、両端開口１２１、１２２を連通する空洞１２を画成する周壁１１を有し、周壁１１の前開口１１１側の内周面にねじ部１１３が設けられている。ねじ部１１３と後開口１２２の境には、環状フランジ部１３が周壁１１の内周面から空洞１２内に突出て形成される。ベース枠１０の周壁１１の内周面は、空洞１２の一部を縮径して前開口１２１側が後開口側より径小になって境に後開口１２２向きの段部が形成される。環状フランジ部１３は、該段部、即ち空洞１２の径小部と径大部のほぼ境界位置に周壁１１の内周面から軸（Ｌ２）方向とは直角の径方向に張出している。
【００１７】
レンズ支持筒２０は、胴２１の内面に複数の異なる内径にしてなる段付き空洞２１２を有し、該空洞２１２内に軸（Ｌ２）方向に沿ってレンズセット２２の各レンズが所定の段部に保持され、その外周面２１１にベース枠１０のねじ部１１３と螺合するねじ部２１３が形成され、ベース枠１０内の前開口１２１側よりねじ込まれる。この実施の形態では、２のレンズの間に介設されるリング状スペーサー２３と、レンズセット２２を例えばレンズ支持枠２０の後開口にねじ込まれて軸方向の所定の合焦位置に定位させる固定リング２４とにより、複数のレンズが所定の合焦位置にそれぞれ定位される。
【００１８】
シール３０は、例えばゴムなどの弾性変形材によりつくられ、レンズ支持筒２０の輪状後端面に当接すると共に、ベース枠１０の空洞１２内の環状フランジ部１３とレンズ支持筒２０との間の隙間を塞ぐよう、フランジ部１３の前開口側の環状面１３１に取付けられ、レンズ支持筒２０を所定の合焦位置に定位させる。
【００１９】
カラーフィルタ４０は、ベース枠１０内環状フランジ部１３の開口を覆うように環状フランジ部１３の後側環状面１３２に例えば粘着剤などにより取付けられている。なお、この実施の形態では、所定波長域の光をカットするよう板状カラーフィルタ４０が用いられるが、従来のようにレンズにカラーフィルタ膜を形成してもよい。
【００２０】
また、この形態においては、ベース枠１０の後開口１２２側には、レンズセット２２により結像されるイメージを光電変換する例えばＣＣＤイメージセンサなどの撮像素子５０と、該撮像素子５０を保持して駆動するための回路基板６０とからなる撮像素子ユニットが保持されている。このように、ベース枠１０内に、カラーフィルタ４０と撮像素子５０を保持した回路基板６０との間を気密にすると共に、レンズ支持筒２０とカラーフィルタ４０の間には、シール３０により気密に保つことができる。なお、この実施の形態においては、撮像素子ユニットはＣＣＤイメージセンサ５０、回路基板６０などを用いてベース枠１０とレンズ支持筒２０と組み合せて例えばデジタルカメラなどに組込まれる形で説明したが、撮像素子ユニットを用いずに、防塵構造をそなえベース枠１０とシール３０とレンズ支持筒２０だけをユニット化した鏡筒モジュールはフィルムカメラに用いられもよいことはいうまでもない。
【００２１】
以上の構成により、レンズセット２２を保持しているレンズ支持筒２０と、シール３０と、カラーフィルタ４０と、撮像素子５０を搭載した回路基板６０とがベース枠１０内に軸（Ｌ２）方向に所定の合焦位置に一体に組み立てられてユニット化し、図１に示す鏡筒モジュールが得られる。
【００２２】
本発明の鏡筒モジュールは、ベース枠１０とレンズ支持筒２０とのねじ螺合部及び環状フランジ部１３の間に弾性変形状シール３０がレンズ支持筒２０の底端面と接するように取付けられているので、両ねじ部１１３、２１３が螺合するときに発生する擦粉または外部からの塵埃がねじ螺合部へ紛れ込んでもシール３０によって阻止され、カラーフィルタ４０の受光面または撮像素子の結像面に落ちることはないので、良好な白画面が得られる。また、シール３０により、レンズ支持筒２０と環状フランジ部１３との間の隙間を気密に塞いでいるので、多少の振動があっても、レンズ支持筒２０は軸（Ｌ２）方向の合焦位置に定位することもできる。
【００２３】
また、シール３０としては、ゴムのような弾性変形材が用いられるので、防塵効果の他に、多少な振動でもベース枠とレンズ支持筒２０の相対変位を防止することができる。
【００２４】
また、環状フランジ部１３は、ベース枠１０内の環状段部より張り出し軸（Ｌ２）方向に直角の径方向に延伸して形成されることにより、ねじ部同士（１１３、２１３）の螺合部を通ってカラーフィルタ４０の受光面または撮像素子（ＣＣＤイメージセンサ、銀塩フィルム）の結像面へのちりの汚染を防止する効果もある。
【００２５】
なお、上記実施の形態では、合焦用のレンズとして複数のレンズを用いて説明したが、場合によっては、ただ１つのレンズ、または２つ以上のレンズセットを用いてもよい。
【産業上の利用可能性】
【００２６】
以上のように、本発明によれば、ベース枠内のフランジ部とレンズ支持筒の間の隙間を弾性シールにより気密に塞ぐことにより、そこのねじ部同士の螺合部から発生する擦粉やちりを撮像素子の撮像面に侵入することを防止することができ、良好な白画面が得られる鏡筒モジュールを提供できる。
【図面の簡単な説明】
【００２７】
【図１】本発明にかかる一実施の形態の鏡筒モジュールの組立縦断面図である。
【図２】同鏡筒モジュールを分解して概略示す縦断面図である。
【図３】従来の鏡筒モジュールの構造を概略示す縦断面図である。
【符号の説明】
【００２８】
１０                    ベース枠
１１                    周壁
１１１、１１２          端面
１１３、２１３          ねじ部
１２                    空洞
１２１、１２２          開口
１３                    環状フランジ部
１３１、１３２          環状面
２０                    レンズ支持筒
２１１                  外周面
２１２                  空洞
２２                    レンズセット
２３                    スペーサー
２４                    固定リング
３０                    シール
４０                    カラーフィルタ
５０                    撮像素子
６０                    回路基板
【図１】
2006235575.tif 000003
【図２】
2006235575.tif 000004
【図３】
2006235575.tif 000005